(57)【要約】      （修正有）【課題】削孔音を削減するための、新規かつ改善されたデバイスを提供する。【解決手段】騒音減衰ソリューションが、削岩ユニットのために設計されており、個別の要素である、スキン構造と、フレームと、を含むことである。スキン構造は、削岩ユニットを少なくとも部分的に囲んでおり、これにより、騒音が周囲に自由に拡散することを防ぐ。フレームは、スキン構造に対するサポートを提供し、削孔ユニットのフィードビームへの取り付けを可能にする。さらに、スキン構造は、フレームに個別に固定されている、いくらかの騒音減衰パネルを含む。パネルとフレームとの間の取り外し可能な取り付けは、パネルを個別に取り扱うことを可能にする。【選択図】図２
2020051245.tif 000002
【特許請求の範囲】
【請求項１】
削岩ユニット（４）の騒音を減衰するためのデバイス（１２）であって、
前記削岩ユニット（４）を少なくとも部分的に受容するための空間を形成するよう構成されているスキン構造（１４）と、
前記スキン構造（１４）を、前記削孔ユニット（４）のフィードビーム（５）に固定するためのフレーム（２０）と、を含み
前記フレーム（２０）と、前記スキン構造（１４）と、は、個別の要素であり、
前記スキン構造（１４）は、前記フレーム（２０）に取り外し可能な様相にて固定されているいくらかの個別の騒音減衰パネル（１３）を含み、これにより前記パネル（１３）のそれぞれは、個別に取り付け及び取り外しが可能であるデバイス（１２）であって、
前記フレーム（２０）は、金属バー又はチューブ製のラックを含み、
前記ラックは、
互いに接続されている、少なくとも２つの平行な縦方向のバー（２１ａ、２１ｂ）と、
いくらかの横方向のサポート（２２）と、を含み、
前記ラックは、前記パネル（１３）を機械的に前記ラックに固定するためのいくらかの固定ポイントを備えることを特徴とする、デバイス（１２）。
【請求項２】
前記フレーム（２０）は、前記デバイス（１２）の前端部位（Ｆ）から後端部位（Ｒ）に縦方向に延在する単一のまとまりであることを特徴とする、請求項１に記載のデバイス。
【請求項３】
前記スキン構造（１４）は、少なくとも３つの個別のパネル（１３ａ〜１３ｊ）を含むことを特徴とする、請求項１又は２に記載のデバイス。
【請求項４】
前記スキン構造（１４）は、
前記スキン構造（１４）の両縦方向側に、少なくとも２つの連続するサイドパネル（１３ａ、１３ｂ、１３ｇ〜１３ｊ）と、
前記スキン構造（１４）の前端部位（Ｆ）に、少なくとも１つのフロントパネル（１３ｅ）と、
前記スキン構造（１４）の後端部位（Ｒ）に、少なくとも１つのリヤパネル（１３ｆ１、１３ｆ２）と、
前記スキン構造（１４）の縦方向上側に、さらに少なくとも２つの連続するトップパネル（１３ａ、１３ｂ）と、
を含むことを特徴とする、請求項１〜３のいずれか一項に記載のデバイス。
【請求項５】
前記スキン構造（１４）は、ヒンジ（１７）を用いて前記フレーム（２０）に取り付けられている少なくとも１つのパネルを含むことを特徴とする、請求項１〜４のいずれか一項に記載のデバイス。
【請求項６】
前記スキン構造（１４）の後部位（Ｒ）には、開口（２３）を備える少なくとも１つのリヤパネル（１３ｆ１、１３ｆ２）があり、これにより、生成された騒音が、前記開口（２３）を通って、前記スキン構造（１４）により画定されている前記空間の外に拡散することを可能にしていることを特徴とする、請求項１〜５のいずれか一項に記載のデバイス。
【請求項７】
前記パネル（１３）は、機械的な固定要素（１６）を用いて前記フレーム（２０）に固定されていることを特徴とする、請求項１〜６のいずれか一項に記載のデバイス。
【請求項８】
前記パネル（１３）のそれぞれは、
外層（２７）と、
前記外層（２７）の内側に接続されている少なくとも１つの追加層（２８、２９）と、を含み、
前記外層（２７）は、空気に対して不浸透性の材料製であり、
前記少なくとも１つの追加層（２８、２９）は、騒音減衰材料を含むことを特徴とする、請求項１〜７のいずれか一項に記載のデバイス。
【請求項９】
前記騒音減衰パネル（１３）の少なくとも一部は、外層（２７）と、内層（２９）と、中間層（２８）と、の３つの、重ね合わせた層を含み、
前記外層（２７）は、金属シート材料製であり、
前記内層（２９）は、軽量吸音要素（ＡＥ）を含み、
前記中間層（２８）は、前記外層（２７）の内面側に直接付けられている減衰マス（ＤＡ）を含むことを特徴とする、請求項１〜８のいずれか一項に記載のデバイス。
【請求項１０】
前記デバイス（１２）は、前記騒音減衰プレート（１３）の少なくともいくつかが、相当の寸法及び固定手段を有するものの、いくらかの通し開口（２５）を伴う格子状構成を有するプレート（２４）に交換可能である、予め設計されている代用システムを備え、これにより、前記デバイス（１２）は、前記騒音減衰デバイスから保護ケージに、前記フレーム（２０）に対するいずれの変更なく交換可能であることを特徴とする、請求項１〜９のいずれか一項に記載のデバイス。
【請求項１１】
ムーバブルキャリア（２）と、
少なくとも１つの削孔ブーム（３）と、
前記削孔ブーム（３）の遠位端部にある削孔ユニット（４）であって、
フィードビーム（５）と、
前記フィードビーム（５）上に可動式に支持されている削岩機（６）と、を含む削孔ユニット（４）と、
騒音減衰デバイス（１２）であって、
前記削孔ユニット（４）を少なくとも部分的に囲むスキン構造（１４）と、
前記デバイス（１４）を前記削孔ユニット（４）に支持するためのフレーム（２０）と、を含む騒音減衰デバイス（１２）と、
を含む削岩リグ（１）であって、
前記騒音減衰デバイス（１４）は、請求項１〜１０に開示するデバイスに従っていることを特徴とする、削岩リグ（１）。
【発明の詳細な説明】
【技術分野】
【０００１】
本発明は、削岩において生じる騒音を減衰するためのデバイスに関する。このデバイスは、削岩リグの削孔ユニット周囲に配置される。
【０００２】
本発明はさらに、騒音減衰デバイスを備える削岩リグに関する。
【０００３】
本発明の分野は、各独立請求項のプリアンブルにより具体的に定義されている。
【背景技術】
【０００４】
採掘現場や建設現場において、及び、他の作業エリアにて、様々な目的のための削孔のために、様々な種類の削岩リグが使用されている。削岩リグは、１つ又はそれ以上のブームを備え、ドリル孔をあけるために、削岩ユニットが、ブームの遠位端に配置されている。岩石を削孔する際には、騒音が周囲に拡散する。この騒音は主に、削孔ツールのインパクトヘッドをたたく、削岩機のインパクトデバイスと、岩石に衝撃を与えるこのツールと、により生成される。騒音により生じる問題を防ぐため、特に表面削孔において、フィードビーム及び削岩機の周囲に各種の騒音減衰ハウジングを使用することにより、それらの課題を解消するよう努力がなされてきた。しかし、現在の騒音減衰ソリューションは、それらの複雑で、高価で、不十分な構造に関するいくつかの欠点を含んでいることが明らかとなっている。
【発明の概要】
【０００５】
本発明の目的は、削孔音を削減するための、新規かつ改善されたデバイスを提供することである。本発明はさらに、新規かつ改善された削岩リグに関する。
【０００６】
本発明に係るデバイスは、第１の独立の、装置請求項を示す特徴により特徴づけられている。
【０００７】
本発明に係る削岩リグは、第２の独立の、装置請求項を示す特徴により特徴づけられている。
【０００８】
開示するソリューションのアイデアとは、騒音減衰ソリューションが、削岩ユニットのために設計されており、個別の要素である、スキン構造と、フレームと、を含むことである。スキン構造は、削岩ユニットを少なくとも部分的に囲んでおり、これにより、騒音が周囲に自由に拡散することを防ぐ。フレームは、スキン構造に対するサポートを提供し、削孔ユニットのフィードビームへの取り付けを可能にする。さらに、スキン構造は、フレームに個別に固定されている、いくらかの騒音減衰パネルを含む。パネルとフレームとの間の取り外し可能な取り付けは、パネルを個別に取り扱うことを可能にする。
【０００９】
開示するソリューションの利点は、構造が、いくらかの、個別に取り付け及び取り外しが可能な騒音パネルを含むため、この構造を後に変更でき、損傷したパネルを容易に交換できることである。フレーム及びスキン構造は個別の要素であるため、この構造はシンプルとなり得、製造が容易となり得る。一方、スキン構造及びフレームの構造は双方とも最適化され得る。複雑に統合された騒音ハウジングと比較して、開示するソリューションは、フレキシブルで軽量なソリューションを提供する。
【００１０】
さらなる利点は、スキン構造が、構造的にシンプルで、サイズが限られているいくらかの騒音減衰パネルからなることである。この種のパネルは容易に製造でき、特殊な製造技術を必要としない。パネルは取り外し可能な様相にて取り付けられているため、サービス及び修理作業のために選んだパネルをも取り外すことができる。
【００１１】
ある実施形態によると、騒音減衰デバイスのフレームは、デバイスの前端部位から後端部位に縦方向に延在する単一のまとまりである。互いに離れた、いくらかの個別のフレーム部を有する代わりに、フレームはこのように、ワンピース構造を有する。しかし、シングルピースフレームは、溶接接合、スクリュ取り付け、リベット又は相当する接続技術を用いて互いに接続されているいくらかのフレームピースから形成され得る。シングルピース構造によりフレームは強固となり得、フレームは、容易かつ迅速に取り付けできる。フレームの構造及びその取り付けポイントは、削岩ユニットの構成に従って設計されてよい。
【００１２】
ある実施形態によると、騒音減衰デバイスのフレームは、金属バー又はチューブ製のラックを含む。ラックは、互いに接続されている、少なくとも２つの平行な縦方向のバーと、いくらかの横方向のサポートと、を含む。横方向のサポートは、ラックのための固定脚としての用に供されてよい。横方向のサポートはまた、代替的に、又は、追加的に、サイドパネルをラックに取り付けるための支持面としての用に供されてよい。さらに、ラックは、パネルを機械的にラックに固定するためのいくらかの固定ポイントを備える。ラックは、曲げられて、互いに溶接接合により接続されているいくらかのスチールバー又はチューブを含んでよい。
【００１３】
ある実施形態によると、騒音プロテクタのフレームは、矩形状を有するアッパーフレームと、フレームの縦方向に対して横方向に配置されているいくらかの細長いサポート要素と、を含むラックを含み、サポートの上端は、アッパーフレームに非可動式に固定されている。
【００１４】
ある実施形態によると、フレーム又はラックの固定ポイントは、パネルの、固定スクリュ、ピン、又はリベットなどの固定要素を受容するよう構成されている。換言すると、ラックと騒音減衰パネルとの間には、パネルの取り付け及び取り外しを可能にする取り付け手段がある。
【００１５】
ある実施形態によると、スキン構造は、少なくとも３つの個別のパネルを含む。
【００１６】
ある実施形態によると、個別のパネル数は、少なくとも６である。
【００１７】
ある実施形態によると、パネルは、それらの縁に封止要素を備える。封止要素は、例えば、所望するプロファイルを有し、ゴム状材料製の封止ストリップであってよい。
【００１８】
ある実施形態によると、フィードビームの底は、スキン構造によって全体的に囲まれてはいない。換言すると、スキン構造は、フィードビームの一つの面がその外側にあるように、削岩ユニットを部分的に囲んでよい。これにより、騒音プロテクタは、フィードビームに容易に支持され、さらに、削岩ユニットと削孔ブームとの間の可動接続が、容易に配置される。
【００１９】
ある実施形態によると、スキン構造は、スキン構造の両縦方向側に、少なくとも２つの連続するサイドパネルと、スキン構造の前端部位に、少なくとも１つのフロントパネルと、後端部位に、少なくとも１つのリヤパネルと、を含む。スキン構造はまた、スキン構造の縦方向上側に、少なくとも２つの連続するトップパネルを含む。
【００２０】
ある実施形態によると、騒音減衰パネルの少なくとも１つは、削孔ユニットの作動を監視することが可能な透明セクション又はウィンドウを含む。上記の監視ウィンドウは、スキン構造の上側に配置されてよい。しかし、監視が必要ないずれの他の場所にウィンドウを配置することは比較的容易である。
【００２１】
ある実施形態によると、スキン構造は、ヒンジを用いてフレームに取り付けられている少なくとも１つのパネルを含む。代替的に、少なくとも１つのパネルは、クイックカップリング手段を用いてフレームに固定されてよい。上記の開放可能パネルは、騒音プロテクタの内部空間に容易にアクセスすることを可能にする。開放可能パネルは、蓋としての用に供され、セキュリティの目的のために、蓋が開いたことを検出するための感知手段を備えてよい。
【００２２】
ある実施形態によると、スキン構造の後部位には、開口を備える少なくとも１つのリヤパネルがあり、これにより、生成された騒音が、開口を通って、スキン構造により画定されている空間の外に拡散することを可能にしている。この後部開口は、騒音を減衰することに好影響をもたらすことが、実際の試験により明らかとなっている。削岩ユニットは通常、少なくとも表面削孔ソリューションにおける作業中に、後部開口が上を向くように配置される。これにより、内部から排出される騒音が無害となる。
【００２３】
ある実施形態によると、先の実施形態に開示するリヤパネルの開口の形状は、実質的に矩形であり、リヤパネルの構造は、３つの側面から開口を囲むよう構成されている。この矩形状は、後部開口に対して利点があることが、実際の試験により明らかとなっている。
【００２４】
ある実施形態によると、スキン構造は、互いに縦方向に離れた、少なくとも２つの縦方向に連続するリヤパネルを備えている。さらに、リヤパネルのそれぞれは、先の２つの実施形態に開示する開口を備えている。開口を伴ういくらかのリヤパネルが、後部にコンパートメントを形成する場合、排出される騒音は、より効率的に減衰され得る。
【００２５】
ある実施形態によると、パネルは、機械的な固定要素を用いてフレームに固定されている。パネルの機械的な取り付けは、安全で、信頼性が高く、コスト効率のよい、スクリュによる取り付けに基づいてよい。代替的に、パネルを接続するために、形状係止要素及びクイックカップリング手段が利用可能とされてよい。
【００２６】
ある実施形態によると、パネルのそれぞれは、外層と、外層の内側に接続されている少なくとも１つの追加層と、を含む。外層は、空気に対して不浸透性の材料製であり、少なくとも１つの追加層は、騒音減衰材料を含む。換言すると、パネルは、２つ、３つ、又は、４つの、重ね合わせた材料層を含んでよい。外層は、主として荷重を担う構造及び保護カバーとしての用に供されてよく、１つ又はそれ以上の内層は、騒音減衰器としての用に供されてよい。
【００２７】
ある実施形態によると、騒音減衰パネルの少なくとも一部は、外層と、内層と、中間層と、の３つの、重ね合わせた層を含む。外層は、金属シート材料製であり、内層は、軽量吸音要素を含み、中間層は、この外層の内面側に直接付けられている減衰マスを含む。
【００２８】
ある実施形態によると、騒音減衰パネルの少なくとも一部は、例えば、プラスチック材料又は繊維強化複合材製の外層と、吸音材料製の内層と、を含む２層構成を有してよい。外層が非金属材料製である場合、構造の振動に容易に対処でき、１つの吸収層で十分な場合がある。しかし、いくつかの複合構造などの、いくつかの他の非金属材料もまた、減衰マスの使用を要求する場合がある。外層の材料の内部減衰特性が良好であれば、減衰マスは必要ではない。これはつまり、そのような材料においては、振動の伝達が抑えられるからである。そのような材料の例として、様々なプラスチック及びゴム状材料が挙げられる。
【００２９】
ある実施形態によると、内層の吸音要素は、パネルのための本体を形成する外層に機械的に固定されている。機械的な固定要素は、内層の内面に固定され、内側に突出するピンであってよい。ピンは、スクリュなどであってよい。しかし、吸収要素は、接着剤による接合を使用して固定可能であってもよい。
【００３０】
ある実施形態によると、パネルの少なくともいくつかは、吸音要素又は減衰マスを備えてよい。この場合、スキン構造は、パネルの不浸透性の外層の内面側に固定された唯一の吸音材料又はシステムを備える、小型のパネル又はいくつかの専用に形成されたピースを含んでよい。
【００３１】
ある実施形態によると、内層は、シート状又はプレート状構成を有する吸音発泡材料製である。発泡プレートの厚さは、例えば、２０ｍｍ〜５０ｍｍであってよい。発泡プレートは軽量であり、比較的容易に曲げることができ、また、そのようなプレートは容易に固定できる。
【００３２】
ある実施形態によると、内層は、クローズドセル発泡ポリエチレンからなる発泡プレート材料製であってよい。発泡プレートは、製造プロセスを通して後に開放されるセルを備えている。セルが開放される結果、この材料は、高効率の吸音特性を有する。
【００３３】
ある実施形態によると、内層は、本目的及び削岩の厳しい環境に適切ないずれの他の音響発泡パネル製であってよい。
【００３４】
ある実施形態によると、中間層、又は、外層の内側に直接付けられる層としての用に供されてよい減衰マスは、粘弾性減衰コンパウンド製であってよい。減衰マスは、例えば、噴射又はローリングにより、外層の内面に付けられてよい。粘弾性減衰コンパウンドの目的は、金属又は他の硬質の非金属に対して振動減衰を与え、生成された音のピークを、固有周波数を下げることでシフトさせ、音響透過損失を増やすことにより、金属表面及びパネルにより励起された振動又はショックにより広がる騒音を減らすことである。
【００３５】
ある実施形態によると、パネルの外層は、アルミニウム合金プレート製であってよく、これにより軽量となり、耐久性が上がり、そして、耐食性が増す。
【００３６】
ある実施形態によると、騒音プロテクタは、予め設計されている代用システムを備えており、騒音減衰プレートの少なくともいくつかは、相当の寸法及び固定手段を有するものの、いくらかの通し開口を伴う格子状構成を有するプレートに交換可能である。これによりデバイスは、フレームに対するいずれの変更なく、騒音減衰デバイスから保護ケージに交換可能である。最適な構成が選ばれ、容易に実施されると、この代用システムにより、作業上の柔軟性が増す。
【００３７】
ある実施形態によると、先の実施形態に開示する代用システムは、デバイスに対するモジュール性を提供する。これにより、必要に応じて、騒音プレート又は格子状プレートのいずれかを初期的に備えることができる。さらに、フレームは、両種のプレートに対する一般的な固定ベースとして適しているため、この初期設定は、後に変更されてよい。換言すると、スキン構造の個別のパネルの少なくとも一部は、他の種類のパネルに代用可能である。これにより、デバイスの特性が容易に変更可能となっている。
【００３８】
ある実施形態によると、ソリューションは、削岩において生成される騒音を減衰するためのデバイスを形成する方法を含んでよい。この方法は、本特許文書において上記に開示する特徴を含む。ソリューションはまた、開示する騒音減衰器を利用して、削岩における騒音を減衰する別の方法を含んでよい。
【００３９】
上記に開示する各実施形態は、必要である上記の特徴を有する適切なソリューションを形成するために、組み合わされてよい。
【００４０】
いくつかの実施形態を、添付の図面を参照して以下に説明する。
【図面の簡単な説明】
【００４１】
【図１】図１は、表面削孔のための、騒音プロテクタを備える削岩リグの模式的側面図である。
【図２】図２は、騒音減衰デバイスのいくつかの機能の模式図である。
【図３】図３は、削岩ユニットを部分的に覆うよう配置されている騒音減衰構造の模式図である。
【図４】図４は、騒音減衰デバイスの模式的分解図である。
【図５】図５は、騒音プロテクタの騒音減衰パネルの代用となり得る保護パネルの模式図である。
【図６ａ】図６ａは、外面側から見た騒音減衰パネルの模式図である。
【図６ｂ】図６ｂは、同パネルを内面側から示す。
【００４２】
明確性のため、各図面は、開示するソリューションのいくつかの実施形態を簡略化して示す。図中、同じ参照番号は、同様の要素を特定する。
【発明を実施するための形態】
【００４３】
図１は、削岩リグ１を示す。削岩リグ１は、ムーバブルキャリア２と、キャリア２に接続されている少なくとも１つのブーム３と、を含む。ブーム３の遠位端部位には、削孔ユニット４がある。削孔ユニット４は、フィードビーム５と、フィードビーム５に支持された削岩機６と、を含んでよい。削岩機６は、ツール８を回転させるための回転ユニットを含んでよい。さらに、削岩機６は、インパクトデバイスを含む。インパクトデバイスは、ドリル孔１１を形成するために、ドリルビット１０に対して衝撃パルスを生成する。削岩機６の作動は騒音を引き起こすため、削岩ユニットは、騒音減衰デバイス１２を用いて少なくとも部分的に囲まれている。騒音減衰器又はプロテクタは、本特許文書に開示するものであってよい。
【００４４】
なお、開示する騒音減衰ソリューションはまた、他の種類の削孔リグ及び削孔機にも使用されてよい。したがって、開示するソリューションは、地下削孔を意図する削岩リグにおいて実装されてよく、また、回転及びダウンザホール（ｄｏｗｎ  ｔｈｅ  ｈｏｌｅ又はＤＴＨ）削孔、同様に、探査削孔において実装されてよい。
【００４５】
図２は、削岩での使用を意図する騒音減衰デバイスのいくつかの機能を開示する。ここに示す機能は、本特許文書にてすでに上記に開示している。
【００４６】
図３は、騒音減衰デバイス１２を開示する。騒音減衰デバイス１２は、スキン構造１４を共に形成する、いくらかの取り外し可能な騒音減衰パネル１３ａ〜１３ｆと、削岩機がその内部に取り付けられており、また、フィードビーム５を少なくとも部分的に覆う内部空間と、を含む。削孔ユニット４の前端Ｆには、その作動が騒音を引き起こさず、これにより、騒音プロテクタ１２の外側にあってよい、デバイス１５又は補助構成部品があってよい。減衰パネル１３は、スクリュ又はクイックカップリング要素などの固定要素１６を用いて、個別のフレームに固定されてよい。さらに、パネル１３のいくつかは、これらが開位置及び閉位置との間を転回Ｔし得るよう、ヒンジ１７を用いて接続されてよい。スキン構造１４は、２つ又はそれ以上の、縦方向に連続するトップパネル１３ａ及び１３ｂと、騒音プロテクタ１２の両側にある、２つ又はそれ以上の、縦方向に連続するサイドパネル１３ｃ及び１３ｄと、フロントパネル１３ｅと、さらに、騒音減衰器１２の後端部位Ｒにある、１つ又はそれ以上のリヤパネル１３ｆと、を含んでよい。さらに、１つ又はそれ以上のパネル１３は、透明監視セクション１８を備えてよい。代替的に、パネル１３は、例えば、メンテナンス及び監視を促進する、開放可能な小型の蓋を含んでよい。さらに、固定スクリュ又は相当する要素に代えて、パネル１３を固定するためのクイックカップリングロック１９を使用してよい。
【００４７】
図４は、スキン構造１４が、いくらかの独立した、騒音減衰パネル１３ａ〜１３ｊと、スキン構造１４を支持してフィードビームに接続するための個別のフレーム２０と、を含んでよいことを開示する。フレーム２０は、縦方向のバー２１ａ及び２１ｂと、いくらかの横方向のサポート２２又はサポート要素と、を含む、ラックタイプの構造であってよい。サポート２２は、フレームを、フィードビーム又は削孔ユニットの他の構成部品に接続してよく、また、パネルに対する固定面の用に供されてよい。代替的に、サポート２２は、パネルを固定することにのみ意図され、フレーム２０は、個別の固定バー、要素、又はデバイスを使用して取り付けられている。図４に示すように、スキン構造１４の後端Ｒには、矩形に形成されてよい開口２３を双方が含んでよい、２つのリヤパネル１３ｆ１及び１３ｆ２があってよい。リヤパネルは、互いに縦方向に離れて、連続して配置されてよい。
【００４８】
図５は、騒音の減衰が必要でない場合に、騒音プロテクタのフレームに取り付けられてよい、代用パネル２４を開示する。パネル２４は、格子状構成を有してよく、これによりパネル２４は、いくらかの通し開口２５を含む。パネル２４は、機械要素を回転させたり動かしたりするためのアクセスを防止する機械的なプロテクタとしての用に供されてよい。パネル２４は、騒音減衰パネルと同様な寸法であってよく、騒音減衰パネルと同様の固定開口２６又は固定手段を含んでよい。これにより、パネルはフレームに適合する。
【００４９】
図６ａ及び図６ｂは、外層２７と、内層２８と、中間層２９と、を含む騒音減衰パネル１３を開示する。外層２７は、アルミニウム合金製であってよく、曲げ加工及び他のシートマシニング技術を用いて、所望する形状に形成されてよい。外層２７の内面には、上記の中間層２９を形成する減衰マスＤＭが付けられてよい。軽量吸収要素ＡＥが、機械的な固定要素又はピン３０を用いて、外層２７に取り付けられてよい。さらに、パネル１３の縁エリアは、シール３１を備えてよい。
【００５０】
図面及び関連する記述は、本発明のアイデアを示すことのみを意図している。その詳細において、本発明は、特許請求の範囲内にて異なってよい。
【図１】
2020051245.tif 000003
【図２】
2020051245.tif 000004
【図３】
2020051245.tif 000005
【図４】
2020051245.tif 000006
【図５】
2020051245.tif 000007
【図６ａ】
2020051245.tif 000008
【図６ｂ】
2020051245.tif 000009
【外国語明細書】
2020051245000001.pdf
2020051245000002.pdf
2020051245000003.pdf
2020051245000004.pdf